(57)【要約】【課題】少なくとも不用時のコネクタが直接外付けケースの外側に露出することを避け、塵埃や衝撃からコネクタを保護する特別な蓋付き開口構造を有する記憶装置用外付けケース及びそれと内蔵した記憶装置とからなった外付け型記憶装置を提供しようとする。【解決手段】記憶装置をその中空の筐体内に内蔵し、且つそれに設置されているコネクタを介して該記憶装置をコンピュータ装置と接続してコンピュータ装置からデータのアクセスをする記憶装置用外付けケースにおいて、前記筐体に蓋付き開口が設けてあり、前記コネクタが前記筐体内の該蓋付き開口近くにそれから前記蓋が開けられた際の開口外に引き出されることができるように設置されていることを特徴とする記憶装置用外付けケース及びそれと内蔵した記憶装置とからなった外付け型記憶装置を提供する。【選択図】図２
0003115453.tif 000002
【実用新案登録請求の範囲】
【請求項１】
記憶装置をその中空の筐体内に内蔵し、且つそれに設置されているコネクタを介して該記憶装置をコンピュータ装置と接続してコンピュータ装置からデータのアクセスをする記憶装置用外付けケースにおいて、
前記筐体に蓋付き開口が設けてあり、前記コネクタが前記筐体内の該蓋付き開口近くにあって、そこから前記蓋が開けられた際の開口外に引き出されることができるように設置されていることを特徴とする記憶装置用外付けケース。
【請求項２】
第一筐体部材とこれに結合する第二筐体部材とからなり、記憶装置を収納するための収納空間と該収納空間と連通している開口とを有する筐体と、
前記筐体に前記開口を開閉自在に設置されている蓋と、
前記収納空間内に設置されている回路基板と、
前記収納空間内に前記回路基板に接続されていて前記記憶装置が前記収納空間内に収納された場合、それと接続するための第一のコネクタと、
前記収納空間内の前記開口近くに設置されていると共に、前記蓋が開けられた際、そこから該開口外に更に延ばされることができる長さを有する伝送ラインを介して前記回路基板に接続されている第二のコネクタとを備えてなった記憶装置用外付けケース。
【請求項３】
前記蓋は、閉じられたとしても、前記伝送ラインを通過させることができる隙間を残すように構成されていて前記第二のコネクタが前記開口外に引き出されても前記蓋はやはり閉じられうることを特徴とする請求項２に記載の記憶装置用外付けケース。
【請求項４】
前記蓋は、柔軟性の材料から構成されていて前記第二のコネクタが前記開口外に引き出されても前記蓋はやはり閉じられうることを特徴とする請求項２に記載の記憶装置用外付けケース。
【請求項５】
前記筐体は、さらに前記収納空間を仕切り、前記開口の近い側にあって前記第二のコネクタを収納するための第１の空間と前記開口の遠い側にあって前記記憶装置を収納するための第２の空間とに隔離する仕切り板を有し、
また、前記回路基板及び前記第一のコネクタは前記第２の空間内に前記記憶装置を収納するための空間を残すように設置されており、
それにより、前記回路基板、前記第一のコネクタないし後に入れられて収納される前記記憶装置は、前記仕切り板により、前記収納されたり引き出されたりする第二のコネクタから隔離し保護されることができることを特徴とする請求項２、３または４に記載の記憶装置用外付けケース。
【請求項６】
請求項１〜５のいずれか一項に記載の記憶装置用外付けケース内に記憶装置を入れて収納してなった外付け型記憶装置。
【考案の詳細な説明】
【技術分野】
【０００１】
本考案は、記憶装置用外付けケース及び外付け型記憶装置に関し、詳しくは記憶装置をその中空の筐体内に内蔵し、且つそれに設置されているコネクタを介して該記憶装置をコンピュータ装置と接続してコンピュータ装置からデータのアクセスをする記憶装置用外付けケース及びそれと内蔵した記憶装置とからなった外付け型記憶装置に関する。
【背景技術】
【０００２】
情報産業の盛んな発展につれて、コンピュータ機器への要求が増えている。それに応じて様々なハードウェア、例えば、コンピュータの周辺装置が開発されている。その中に、通常コンピュータ本体に内蔵するハードディスクやＣＤ−ＲＯＭ等の記憶装置をコンピュータ本体と別体に外部記憶装置として容易に携帯／使用するために、記憶装置用外付けケースが開発されている。
【０００３】
従来の記憶装置用外付けケースは、例えば図１に示すように、図示しないコンピュータ装置と接続するためのコネクタ９２の前端面がその筐体９１の外側に露出しているので、伝送ラインの使用を介し、それに内蔵してある記憶装置をコンピュータ装置と接続することが容易だが、記憶装置を内蔵したまま持ち歩かれる場合等に、コネクタ９２は塵埃に付着されたり衝撃を受けたりし易いという欠点がある。
【０００４】
ところで、ライターのような小型のものもあり（例えばフラッシュメモリ）、このような記憶装置用外付けケースは、体積が小さいので、コンピュータ装置と接続するためのコネクタがその筐体の外側に露出しているのみならず、露出した部分が割合に大きくて、通常、使用時に、伝送ラインを介せず、それで直接コンピュータ装置と接続し、且つ、不用時にそれに着脱自在なキャップを付けて保護することができる。しかしながら、保護キャップがあるとは言え、着脱自在なものであるので、紛失しやすいし、それに保護キャップがついていても、塵埃の付着が避けられるといっても、筐体の外側に大きく露出しているので、衝撃を避けることができない。
【考案の開示】
【考案が解決しようとする課題】
【０００５】
本考案は、上記のような従来の記憶装置用外付けケースの問題点を解決し、少なくとも不用時のコネクタが直接外付けケースの外側に露出することを避け、塵埃や衝撃からコネクタを保護する特別な蓋付き開口構造を有する記憶装置用外付けケース及びそれと内蔵した記憶装置とからなった外付け型記憶装置を提供することを目的とするものである。
【課題を解決するための手段】
【０００６】
前記目的を達成するために、本考案は、まず、記憶装置をその中空の筐体内に内蔵し、且つそれに設置されているコネクタを介して該記憶装置をコンピュータ装置と接続してコンピュータ装置からデータのアクセスをする記憶装置用外付けケースにおいて、前記筐体に蓋付き開口が設けてあり、前記コネクタが前記筐体内の該蓋付き開口近くにそれから前記蓋が開けられた際の開口外に引き出されることができるように設置されていることを特徴とする記憶装置用外付けケースを提供する。
【０００７】
そして、本考案の前記記憶装置用外付けケースの好ましい形態としては、第一筐体部材と第二筐体部材とから、記憶装置を収納するための収納空間と該収納空間と連通している開口とがなるように結合された筐体と、前記筐体に前記開口を開閉自在に設置されている蓋と、前記収納空間内に設置されている回路基板と、前記収納空間内に前記回路基板に接続されていて前記記憶装置が前記収納空間内に収納された場合、それと接続するための第一のコネクタと、前記収納空間内の前記開口近くに設置されていると共に、前記蓋が開けられた際、そこから該開口外に更に延ばされることができる長さを有する伝送ラインを介して前記回路基板に接続されている第二のコネクタとを備えてなったものが挙げられる。
【０００８】
本考案の前記記憶装置用外付けケースのもっと好ましい形態としては、前記構成における前記筐体は、さらに前記収納空間を仕切り、前記開口の近い側にあって前記第二のコネクタを収納するための第１の空間と前記開口の遠い側にあって前記記憶装置を収納するための第２の空間とに隔離した前記仕切り板を有し、また、前記回路基板及び前記第一のコネクタは、更に、前記第２の空間内に前記記憶装置を収納するための空間を残すように設置されており、それにより、前記回路基板、前記第一のコネクタないし後に入れられて収納される前記記憶装置は、前記仕切り板により、前記収納されたり引き出されたりする第二のコネクタから隔離し保護されることができるものが挙げられる。
【０００９】
また、前記蓋は、閉じられたとしても、前記伝送ラインを通過させることができる隙間を残すように構成されても良く、柔軟性の材料から構成されても良く、それらのいずれか一つにより前記引き出されることができるコネクタが前記開口外に引き出されても前記蓋はやはり閉じられることができる。
【００１０】
更に、本考案は、上記のような記憶装置用外付けケース内に記憶装置を入れて収納してなった外付け型記憶装置をも提供する。
【考案の効果】
【００１１】
本考案における記憶装置用外付けケースは、前記蓋付き開口構造を有し、不用時に該蓋が牢固に閉じられることができるので、前記筐体内に設置されている前記コネクタが充分な保護が得られる。つまり、本考案により、記憶装置用外付けケースのコンピュータと接続するためのコネクタが塵埃の付着や衝撃を避けることができる。
【考案を実施するための最良の形態】
【００１２】
この考案の前記その他の目的、特徴及び利点は添付図面に例示する本考案の好ましい実施例に関する以下の詳しい記載から明らかである。
【００１３】
図２は、本考案における記憶装置用外付けケース及びそれを備えた外付け型記憶装置それぞれの好ましい実施例を同時に示した分解斜視図である。図３は、図２に示す実施例の組立て後の全体を示す斜視図である。図４は、第二のコネクタ４が第一の空間１８１内に収納されている様子を表示する図２に示す実施例の組立て後のもう一つの斜視図である。図５は、図４のＶ−Ｖ線に沿う断面図である。
【００１４】
図２と図３に示すように、本考案の記憶装置用外付けケースのこの好ましい実施形態は筐体１、回路基板２、第一のコネクタ３、第二のコネクタ４、蓋５、及び該回路基板２と該第二のコネクタ４を接続している伝送ライン６を含んでいる。また、図示には、記憶装置としてのハードディスク７も既に入れられて収納されているので、本考案の外付け型記憶装置の好ましい実施形態になっている。
【００１５】
本実施例における第二のコネクタ４としてはＵＳＢ（universal serial bus）コネクタである。また、本実施例における蓋５は柔軟性を有する皮革の材料から形成されたが、該材質に限定されるものではない。更に、伝送ライン６は、両端を有し、その一端６１は回路基板２と接続しており、他端６２は第二のコネクタ４と接続している。
【００１６】
本実施例の筐体１は、その中に収納空間１８を有する中空体であり、主として第一筐体部材１１と第二筐体部材１２とからフレーム１３を介して上下互いに結合されてなっているが、それらから結合されてなった時、開口１０と仕切り板１４とも同時になった。図示のように、開口１０（図３）は筐体１の一側面になって筐体１の収納空間１８と連通しており、仕切り板１４は第二筐体部材１２から下へ突出して第一筐体部材１１までに延びてなっていて筐体１内の収納空間１８を開口１０の近い側にあって前記第二のコネクタ４を収納するための第１の空間１８１と前記開口１０の遠い側にあって前記ハードディスク７を収納するための第２の空間１８２との２空間に隔離している。また、回路基板２及び第一のコネクタ３は第２の空間１８２内に前記ハードディスク７を収納するための空間を残すように設置されている上、回路基板２は下へ突出してなった仕切り板１４の傍に該仕切り板１４と垂直になって上下両面を有するように設置されており、第一のコネクタ３は回路基板２の下側面に設置されており、また前記ハードディスク７は前記回路基板２の下側の第一のコネクタ３の後ろから該第一のコネクタ３と接続している。それに、伝送ライン６は仕切り板１４に開けてある通孔１４１を貫通し、第２の空間１８２にある回路基板２と第１の空間１８１にある第二のコネクト４とを接続している。
【００１７】
本実施例の記憶装置用外付けケースは、第二筐体部材１２の外表面に設置されている皮革製被覆層１５、該皮革製被覆層１５の外表面の該開口１０の上縁と隣合っている所に設置されているトップカバー１６、及び第一筐体部材１１の外表面に設置されている防滑性を有するシリカゲル製パッド１７を更に含んでいる。また、皮革製被覆層１５の外表面に第１の係止部材１５１として凸部が設置されている。
【００１８】
本実施例において、第一筐体部材１１、フレーム１３、及びトップカバー１６は金属材料から形成されており、第二筐体部材１２はプラスチックから形成されている。前記フレーム１３は、第一筐体部材１１と第二筐体部材１２との間の境界線に沿って少々突出するようになっているので、筐体１に上下方向の強度を与えているばかりでなく、筐体１を横からの衝撃からも保護することができるる。
【００１９】
図２と図４に示すように、前記柔軟性材料からなった蓋５は、相対の両端縁を有し、その一端縁は第一筐体部材１１の下側面に固定されており、他端縁近くの内面には皮革製被覆層１５に設置してある第１の係止部材１５１と着脱可能な第２の係止部材５３１が設置されていて該第１及び第２の係止部材１５１，５３１との間の係止により蓋５で開口１０を覆うことができる。また、図３に示すように、この実施例では、該蓋５が開口１０を覆っている時、その両側にそれぞれ隙間が残っているため、第二のコネクタ４が筐体１外に引き出されても、伝送ライン６がこれらの隙間を通過することができるので、やはり蓋５を閉じることができる。もちろん、この実施例では、蓋５が柔軟性の材料からなったので、前記隙間がなくても、第二のコネクタ４が筐体１外に引き出されたままで、蓋５を閉じることができる。なお、この実施例では、隙間が残っているため、蓋５が硬質の材料からなっても、伝送ライン６が隙間を通過することができるので、第二のコネクタ４が筐体１外に引き出されたままで、蓋５を閉じることもできる。
【００２０】
即ち、前記ハードディスク７が既に第２の空間１８２内に収納されている場合、先に蓋５を開けて第二のコネクタ４を筐体１外に引き出した後、塵埃などの開口１０より筐体１内に侵入することを避けるために蓋５を再び閉じてでも、該第二のコネクタ４でコンピュータ装置（図示せず）と接続しコンピュータ装置からデータのアクセスをすることができる。
【００２１】
図５に示すように、筐体１は第一筐体部材１１と第二筐体部材１２の内表面にそれぞれ設置されて第１の空間１８１内に突出している二つの弾性部材１９，１９を更に含んでいる。この二つの弾性部材１９，１９は上下互いに合わせて外から第１の空間１８１内へ曲げられた伝送ライン６の先端にある第二のコネクタ４を横から挟んでそこに脱着可能に保持することができる。
【００２２】
この実施例では、更に、前記回路基板２に、ハードディスク７の読み書き状態を表示しうる発光ダイオード（図示せず）及び該ハードディスク７のデ―タを直接バックアップさせるためのスイッチ（図示せず）が設置されている。また、前記トップカバー１６に、該発光ダイオードの光を導き出すことができる導光部材１６１及び該スイッチを押して制御しうる手軽なボタン１６２が設置されている。
【００２３】
本考案の上記のような記憶装置用外付けケースと内蔵した記憶装置とからなった外付け型記憶装置は、携帯時や他の不用時に前記第１及び第２の係止部材１５１，５３１との間の係止により蓋５で開口１０を覆うことができ、前記第二のコネクタ４が直接外付けケースの外側に露出することを避けることができるので、塵埃や衝撃から保護されることができる。
【００２４】
ただし、上記のいずれのものは、本考案の好適な実施例にすぎなく、それらにより本考案を限定するものではない。即ち、本考案の精神の範囲内において種々の変形や変更が可能であることは言うまでもない。
【産業上の利用可能性】
【００２５】
本考案における記憶装置用外付けケース及びそれと内蔵した記憶装置とからなった外付け型記憶装置は、蓋付き開口構造を有し、不用時にそのコンピュータ装置と接続するためのコネクタ（第二のコネクタ）が筐体内に収納され蓋に閉じられることができるので、塵埃の付着や衝撃から充分な保護を受けることができる。
【図面の簡単な説明】
【００２６】
【図１】記憶装置用外付けケースの従来例の斜視図。
【図２】本考案の記憶装置用外付けケース及びそれを備えた外付け型記憶装置それぞれの好ましい実施例を同時に示した分解斜視図。
【図３】図２に示す実施例の組立て後の全体を示す斜視図。
【図４】第二のコネクタが第一の空間内に収納されている様子を表示するもう一つの斜視図。
【図５】図４のＶ−Ｖ線に沿う断面図。
【符号の説明】
【００２７】
１      筐体
１０    開口
１１    第一筐体部材
１２    第二筐体部材
１３    フレーム
１４    仕切り板
１５    被覆層
１５１  第１の係止部材
１６    トップカバー
１６１  導光部材
１６２  ボタン
１７    パッド
１８    収納空間
１８１  第１の空間
１８２  第２の空間
１９    弾性部材
２      回路基板
３      第一のコネクタ
４      第二のコネクタ
５      蓋
５３１  第２の係止部材
６      伝送ライン
６１    伝送ラインの一端
６２    伝送ラインの他端
７      ハードディスク
【図１】
0003115453.tif 000003
【図２】
0003115453.tif 000004
【図３】
0003115453.tif 000005
【図４】
0003115453.tif 000006
【図５】
0003115453.tif 000007